(57)【要約】【課題】署名又は印影を示す画像を印刷し、利便性とセキュリティ性を向上することが可能な印刷装置等を提供する。【解決手段】印刷装置１００は、予め登録されている一つ又は互いに異なる複数の第１画像に基づく、第１画像と異なる第２画像を生成する画像生成部１９１と、画像生成部１９１により生成された第２画像を印刷する印刷部１７０と、を備える。第１画像は、線によって構成された部分を少なくとも有し、第２画像は、（１）第１画像の少なくとも一部の濃度を変えた画像、（２）第１画像の線の少なくとも一部の太さを変えた画像、（３）複数の第１画像のうちの少なくとも二つを合成して生成された画像、の少なくとも何れかである。【選択図】図２
2018051882.tif 000002
【特許請求の範囲】
【請求項１】
予め登録されている一つ又は互いに異なる複数の第１画像に基づく、前記第１画像と異なる第２画像を生成する画像生成部と、
前記画像生成部により生成された前記第２画像を印刷する印刷部と、
を備え、
前記第１画像は、線によって構成された部分を少なくとも有し、
前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とする印刷装置。
【請求項２】
前記第１画像は、ユーザによりなされた署名の画像又は印影の画像であることを特徴とする請求項１に記載の印刷装置。
【請求項３】
前記画像生成部は、前記第２画像を生成する際に、該画像生成部が過去に生成した前記第２画像と異なるように、該第２画像を生成することを特徴とする請求項１又は２に記載の印刷装置。
【請求項４】
前記第１画像の入力を受け付ける入力受付部と、
前記第１画像を記憶する記憶部と、
をさらに備えることを特徴とする請求項３に記載の印刷装置。
【請求項５】
前記記憶部は、前記印刷部が前記第２画像の印刷を行う毎に、前記画像生成部が前記第２画像を再現するための再現情報を記憶し、
前記画像生成部は、前記第２画像を生成する際に、前記記憶部に記憶されている前記再現情報によって再現可能な画像とは異なるように、該第２画像を生成することを特徴とする請求項４に記載の印刷装置。
【請求項６】
前記記憶部に記憶されている前記再現情報に基づいて、前記画像生成部によって過去に生成された前記第２画像を再現する画像再現部をさらに備えることを特徴とする請求項５に記載の印刷装置。
【請求項７】
前記画像生成部は、前記複数の第１画像から少なくとも二つの前記第１画像を選択し、前記選択した少なくとも二つの第１画像の間で段階的なモーフィング処理を行ったときの、前記モーフィング処理の段階に応じて生成される複数の処理画像のうちの、いずれかの段階における前記処理画像を前記第２画像とすることを特徴とする請求項１〜６のいずれか１項に記載の印刷装置。
【請求項８】
前記画像生成部は、
前記第１画像内に変化基準点を設定し、前記第１画像における前記濃度又は前記線の太さの変化量を前記変化基準点からの距離に応じて変えることによって、前記第２画像を生成する、
ことを特徴とする請求項１〜６のいずれか１項に記載の印刷装置。
【請求項９】
印刷装置の印刷方法であって、
予め登録されている一つ又は互いに異なる複数の第１画像に基づく、前記第１画像と異なる第２画像を生成する画像生成ステップと、
前記画像生成ステップにおいて生成された前記第２画像を前記印刷装置により印刷する印刷ステップと、
を含み、
前記第１画像は、線によって構成された部分を少なくとも有し、前記画像生成ステップにおける前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とする印刷方法。
【請求項１０】
印刷装置を制御するコンピュータにより実行されるプログラムであって、
前記コンピュータにおいて、
予め登録されている一つ又は複数の互いに異なる第１画像に基づく、前記第１画像と異なる第２画像を生成させ、
前記生成させた前記第２画像を前記印刷装置に印刷させ、
前記第１画像は、線によって構成された部分を少なくとも有し、前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とするプログラム。
【発明の詳細な説明】
【技術分野】
【０００１】
本発明は、印刷装置、印刷方法及びプログラムに関する。
【背景技術】
【０００２】
近年、様々な印刷装置が普及している。例えば、レーザプリンタ、ドットマトリックスプリンタ、インクジェットプリンタ等の据置型の印刷装置と、ハンドヘルドプリンタ、ダイレクトプリンタ、ハンディプリンタ等と称され、ユーザが持ち運びしやすい手動走査型の印刷装置とが知られている。
【０００３】
例えば、特許文献１には、外部装置から受信することによって印刷画像を取得する機能と、スキャンによって印刷画像を取得する機能と、を有するハンドヘルドプリンタが開示されている。
【０００４】
このような手動走査型の印刷装置は、すでに印刷されている書面上に印刷をする場合に便利である。例えば、ユーザが書面の紙面上を手動走査することによって紙面の所望の位置に追加的に印刷することが可能である。
【先行技術文献】
【特許文献】
【０００５】
【特許文献１】特開２００８−９４１０１号公報
【発明の概要】
【発明が解決しようとする課題】
【０００６】
ところで、物品の受領、契約等の手続において、署名（サイン）が世界中で使用されている。署名は、契約内容に同意をするという意思表示、署名者であることを示す本人確認等の目的を果たしている。
【０００７】
署名はペンのみで行うことが可能な行為である。しかし、書類の数が多い場合には効率が悪く、署名者に負担が生じる。また、他人に代理で署名させることも困難である。したがって、利便性が低い。
【０００８】
日本国内では、署名に代えて、印鑑を押印することによって意思表示、本人確認等の目的を果たす場合もある。この場合、大量の書類に署名するよりも効率的である。日本以外の国においても、日本の印鑑と同様にスタンプが使われることがある。また、日付、テキスト、署名等を組み合わせた印面を有し、日付だけを更新して繰り返し使用されるスタンプも知られている。
【０００９】
印鑑、スタンプは、その所有者以外の人であっても使うことができる。所有者が他人に使用を許諾し、当該他人が所有者の代わりに押印する場合には、便利である。しかし、印鑑、スタンプは、誰が使用しても印面が変化しない。そのため、印鑑、スタンプが他人によって不正使用された場合に、不正使用であることを判別することは困難である。そのため、署名に比べてセキュリティ性が低い。
【００１０】
ここで、署名、印鑑又はスタンプの押印の代わりに、印刷装置を使用して署名又は印影を印刷することが考えられる。例えば、特許文献１が開示するハンドヘルドプリンタに署名又は印影を示す画像をスキャン又は外部装置から受信させ、署名又は印影を示す画像を印刷することが考えられる。しかし、そのような具体的な利用方法は、特許文献１には開示されていない。
【００１１】
そこで、本発明はこのような事情に鑑みてなされたものであって、署名又は印影を示す画像を印刷し、利便性とセキュリティ性を向上することが可能な印刷装置等を提供することを目的とする。
【課題を解決するための手段】
【００１２】
上記目的を達成するため、本発明の第１の観点に係る印刷装置は、
予め登録されている一つ又は互いに異なる複数の第１画像に基づく、前記第１画像と異なる第２画像を生成する画像生成部と、
前記画像生成部により生成された前記第２画像を印刷する印刷部と、
を備え、
前記第１画像は、線によって構成された部分を少なくとも有し、
前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかである。
【発明の効果】
【００１３】
本発明によれば、署名又は印影を示す画像を印刷し、利便性とセキュリティ性を向上することが可能な印刷装置等を提供することができる。
【図面の簡単な説明】
【００１４】
【図１】第１実施形態に係る印刷装置の外観及び印刷例を示す図である。
【図２】第１実施形態に係る印刷装置の構成例を示すブロック図である。
【図３】第１実施形態に係る印刷装置の署名登録処理のフローチャートを示す図である。
【図４】登録された複数の署名の一例を示す図である。
【図５】第１実施形態に係る印刷装置の印刷処理のフローチャートを示す図である。
【図６】合成される画像を説明するための概念図であり、（Ａ）は署名２の画像を示し、（Ｂ）、（Ｃ）、（Ｄ）はモーフィング途中の画像を示し、（Ｅ）は署名５の画像を示している。
【図７】第２実施形態に係る印刷装置の構成例を示すブロック図である。
【図８】第２実施形態に係る印刷装置の印刷処理のフローチャートを示す図である。
【図９】画像の変化を説明するための概念図であり、（Ａ）は登録画像を示し、（Ｂ）決定された変化基準点Ｐを示し、（Ｃ）はエッジ変化後の画像を示し、（Ｄ）は濃度変化後の画像を示している。
【発明を実施するための形態】
【００１５】
以下、本発明の実施形態について図面を参照して説明する。
【００１６】
（第１実施形態）
本実施形態に係る印刷装置１００は、ハンドヘルドプリンタ、ダイレクトプリンタ、ハンディプリンタ等と称され、ユーザが持ち運びしやすい手動走査型の印刷装置である。
【００１７】
図１は、印刷装置１００によって印刷媒体Ｓに「サンプル１」という文字列を印刷する場合の例を示している。印刷時において、ユーザは、印刷装置１００を、印刷媒体Ｓに接触させながら、矢印で示す副走査方向に移動（すなわち走査）させる。すると、印刷装置１は移動を検出し、検出した移動に合わせて、印刷媒体Ｓに印刷画像である文字列「サンプル１」を印刷する。
【００１８】
ここで、印刷媒体Ｓは、例えば印刷用紙、ラベル又は段ボール等である。印刷媒体は、記録媒体又は印刷対象物等ともいう。印刷媒体の材質は、紙、フィルム状又は繊維状等、インクが付着しやすい材質又は熱転写可能な材質であれば何でもよい。
【００１９】
印刷媒体Ｓの形状は、シート状又はテープ状等のような平面的な形状であることに限らず、箱又はペットボトル等のような立体的な形状であってもよい。換言すると、据置型の印刷装置のように印刷媒体を搬送する必要がないため、手動走査型の印刷装置１００は、どのような形状の印刷媒体Ｓにも印刷することができる。印刷画像は、印刷時に印刷媒体に描画される画像であって、例えば文字、図形、記号、模様、絵又はこれらの組み合わせ等である。
【００２０】
以下、図２を参照しながら、印刷装置１００の構成を説明する。
【００２１】
印刷装置１００は、通信部１１０と、移動検出部１２０と、操作部１３０と、表示部１４０と、ＲＯＭ（Read Only Memory）１５０と、ＲＡＭ１６０（Random Access Memory）と、印刷部１７０と、認証部１８０と、計時部１８５と、制御部１９０とを備える。
【００２２】
通信部１１０は、例えば、無線周波数（ＲＦ：Radio Frequency）回路、ベースバンド（ＢＢ：Base Band）回路、集積回路（ＬＳＩ：Large Scale Integration）等から構成される。通信部１１０は、図示しないアンテナを介して信号の送受信を行い、外部装置（不図示）と無線通信を行う。なお、通信部１１０は、外部装置と有線通信を行うように構成されてもよい。
【００２３】
移動検出部１２０は、印刷装置１００の下部に設けられており、印刷装置１００が印刷媒体Ｓ上を移動した際の印刷装置１００の移動を検出する光学センサを備える。具体的に説明すると、移動検出部１２０は、ＬＥＤ（Light Emitting Diode）から発せられ、印刷媒体Ｓで反射された光により形成される画像を光学センサによって読み取り、読み取った画像の変化に基づいて印刷装置１００の移動量や移動の向きを検出する。
【００２４】
操作部１３０は、操作ボタン、タッチパネル等から構成される。操作部１３０は、例えば、電源オンオフ、印刷実行開始、署名の入力等のユーザ操作を受け付けるためのインターフェースである。
【００２５】
表示部１４０は、例えば、ＬＣＤ（Liquid Crystal Display）、ＥＬ（Electroluminescence）ディスプレイ等によって構成され、制御部１９０からの入力信号に応じて、文字、色彩、画像等を表示する。
【００２６】
ＲＯＭ１５０は、フラッシュメモリ等の不揮発性メモリから構成され、制御部１９０が各種機能を制御するためのプログラム（印刷装置１００に署名登録処理を実行させるためのプログラム、印刷装置１００に印刷処理を実行させるためのプログラムを含む）や各種データを記憶する。
【００２７】
ＲＡＭ１６０は、揮発性メモリから構成され、制御部１９０が各種処理を行うためにデータ（署名又は印影を示す画像データ、後述する再現情報を含む）を一時的に記憶するための作業領域として用いられる。
【００２８】
印刷部１７０は、印刷媒体Ｓ上における印刷装置１００の移動に合わせて、印刷媒体Ｓに印刷画像を印刷する。印刷部１７０は、インクジェット方式で印刷媒体Ｓに印刷可能に構成されてもよいし、熱転写方式で印刷媒体Ｓに印刷可能に構成されてもよい。
【００２９】
インクジェット方式であれば、印刷部１７０は、インクを充填したインクタンク、インクを加熱する発熱体、インクを吐出する印刷ヘッド（サーマルインクジェットヘッド）等から構成される。この場合、印刷部１７０は、印刷ヘッドの主走査方向及び副走査方向に配列されている複数のノズルから印刷媒体Ｓにインクを吹き付けて印刷する。
【００３０】
熱転写方式であれば、印刷部１７０は、通電によって発熱する発熱体を有する印刷ヘッド（サーマルヘッド）から構成される。この場合、印刷部１７０は、印刷ヘッドの発熱体を発熱させることによって、熱エネルギーに反応する材質の印刷媒体Ｓ（例えば感熱紙）に印刷する。
【００３１】
認証部１８０は、指紋センサ、カードリーダ等から構成される。認証部１８０は、ユーザの指紋、ユーザのＩＤカードの識別情報等を読み取る。
【００３２】
計時部１８５は、タイマ回路から構成され、時刻を計時する。
【００３３】
制御部１９０は、プロセッサであり、ＣＰＵ（Central Processing Unit）から構成される。制御部１９０は、ＲＯＭ１５０に記憶された各種プログラムを実行することにより、印刷装置１００の全体の動作を制御する。
【００３４】
ここで、印刷装置１００の制御部１９０の機能的構成について説明する。制御部１９０は、画像生成部１９１、印刷実行部１９２、入力受付部１９３、認証実行部１９４、画像再現部１９５として機能する。
【００３５】
画像生成部１９１は、ＲＡＭ１６０に記憶されている署名又は印影を示す画像（第１画像）に基づいて、新たな画像（第２画像）を生成する。新たな画像は、ＲＡＭ１６０に記憶されている複数の署名又は印影を示す画像を合成することによって生成される。なお、署名又は印影は、線によって構成された部分を含んでいる。そのため、第１画像は、線によって構成された部分を少なくとも有している。
【００３６】
具体的には、画像生成部１９１は、ＲＡＭ１６０に記憶されている複数の署名又は印影を示す画像のうち２つの画像を選択する。なお、画像生成部１９１は、ユーザ操作に応じて２つの画像を選択するように構成されてもよいし、予め定められた規則に基づいて選択するように構成されてもよい。画像生成部１９１は、選択された２つの画像の特徴点をコーナー検出等によって抽出する。画像生成部１９１は、抽出された２つの画像の特徴点を、特徴点の周辺部分を切り出した画像によるテンプレートマッチングによって対応付ける。
【００３７】
その後、画像生成部１９１は、対応付けられた２つの画像の間で段階的なモーフィング処理を行う。モーフィング処理は、画像の形状を変形（アフィン変換）させながら、局所的な画像の差異を補完（クロスディゾルブ）することによって行われる。画像生成部１９１は、モーフィング処理の段階に応じて生成される複数のフレームの画像のうち、モーフィング途中のいずれかのフレームの画像を新たな画像とする。なお、モーフィング処理の段階の数は、ユーザ又は製造業者によって設定された数である。
【００３８】
なお、画像生成部１９１は、ＲＡＭ１６０を参照して、ＲＡＭ１６０に記憶されている再現情報（再現情報については後述する）によって再現可能な画像と重複しないように、新たな画像を生成する。すなわち、画像生成部１９１は、選択される２つの画像が過去に使用されているものと同一で、かつ選択されるフレームも過去に使用されたものと同一にならないように選択する。
【００３９】
印刷実行部１９２は、印刷部１７０を制御して印刷を実行する。例えば、印刷実行部１９２は、画像生成部１９１が生成した新たな画像を印刷画像として印刷媒体Ｓに印刷する。
【００４０】
入力受付部１９３は、署名又は印影を示す画像の入力を受け付ける。署名又は印影を示す画像の入力は、例えば、ユーザ（署名者）に操作部１３０のタッチパネルを介して署名を入力させたり、通信部１１０を介して外部装置から署名又は印影を示す画像データを受信したりすることによって行われる。入力受付部１９３は、受け付けた署名又は印影を示す画像をＲＡＭ１６０に記憶させる。
【００４１】
認証実行部１９４は、ユーザ情報を登録する場合には、認証部１８０が読み取ったユーザの指紋、ユーザのＩＤカードの識別情報等をユーザ情報としてＲＡＭ１６０に記憶させる。認証実行部１９４は、ユーザ（印刷者）を照合する場合には、認証部１８０が読み取ったユーザの指紋、ユーザのＩＤカードの識別情報等を、ＲＡＭ１６０に記憶されているユーザ情報と照合する。これにより、認証実行部１９４は、ユーザ（印刷者）を認証する。
【００４２】
画像再現部１９５は、ＲＡＭ１６０に記憶されている再現情報に基づいて、過去に画像生成部１９１によって生成された画像を再現する。再現情報とは、過去に画像生成部１９１によって生成された画像を再現するための情報である。
【００４３】
再現情報は、画像生成部１９１が過去に画像を生成した際に選択した２つの画像を特定するための情報と、段階的なモーフィング処理によって生成される複数のフレームの画像の何フレーム目を採用したかを示す情報とを含む。なお、再現情報は、過去に画像生成部１９１によって生成された画像データそのものであってもよい。
【００４４】
以上、印刷装置１００の構成を説明した。ここで、ユーザが印刷装置１００を、署名を示す画像の印刷に使用する場合に、印刷装置１００が行う処理を一例として説明する。
【００４５】
まず、図３を参照しながら、印刷装置１００の制御部１９０が実行する署名登録処理を説明する。署名登録処理は、ユーザが操作部１３０を介して署名登録を行う指示を入力した場合に、制御部１９０の入力受付部１９３が応答することによって実行される。
【００４６】
まず、制御部１９０の入力受付部１９３は、ＲＯＭ１５０に記憶されているプログラムに基づいて、予め定められた署名の入力画面を表示部１４０に表示させる（ステップＳ１０１）。ユーザは、署名の入力画面が表示部１４０に表示されている状態において、例えば、操作部１３０のタッチパネルを介して署名を入力し、操作部１３０の操作ボタンを介して署名の入力が完了したことを示す指示を入力する。
【００４７】
制御部１９０の入力受付部１９３は、署名の入力が完了したことを示す指示が入力されたかどうかを判別する（ステップＳ１０２）。
【００４８】
制御部１９０の入力受付部１９３は、署名の入力が完了したことを示す指示が入力されたと判別した場合（ステップＳ１０２；Ｙｅｓ）、入力された署名を示す画像をＲＡＭ１６０に記憶する（ステップＳ１０３）。一方、制御部１９０の入力受付部１９３は、署名の入力が完了したことを示す指示が入力されていないと判別した場合（ステップＳ１０２；Ｎｏ）、表示部１４０に署名の入力画面を表示させた状態で待機する。
【００４９】
以上の署名登録処理は、登録が必要な署名の回数だけ繰り返される。登録が必要な署名の回数は、例えば、ユーザの使用時又は印刷装置１００の製造時に設定された回数である。
【００５０】
以下、必要な署名の回数が５回であり、署名の内容が「佐藤次郎」である場合を例に説明する。図４は、ユーザによって登録された複数の署名の一例を示す図である。
【００５１】
署名１は特定の署名者により１回目に入力された署名を示す画像であり、署名２は１回目と同じ特定の署名者により２回目に入力された署名を示す画像であり、以下同様に、署名３は特定の署名者により３回目に入力された署名を示す画像であり、署名４は特定の署名者により４回目に入力された署名を示す画像であり、署名５は特定の署名者により５回目に入力された署名を示す画像である。同じ特定の署名者が入力しているために、署名１〜５は、それぞれ形状に若干の相違があるものの、特定の署名者の筆跡上の特徴を含む画像となる。これらの画像は、ＲＡＭ１６０に記憶される。
【００５２】
以下、図５を参照しながら、上述した署名１〜５が登録された場合を例に、印刷装置１００の制御部１９０が実行する印刷処理を説明する。印刷処理は、ユーザ（印刷者）が操作部１３０を介して印刷を実行する指示を入力した場合に、制御部１９０が応答することによって実行される。
【００５３】
印刷処理が実行されると、まず、制御部１９０の認証実行部１９４は、ユーザの認証を行う（ステップＳ２０１）。具体的には、ユーザに認証部１８０を介して、ユーザの指紋、ユーザのＩＤカードの識別情報等を入力させる。
【００５４】
次に、制御部１９０の認証実行部１９４は、認証がＯＫかどうかを判別する（ステップＳ２０２）。具体的には、制御部１９０の認証実行部１９４は、認証部１８０が読み取ったユーザの指紋、ユーザのＩＤカードの識別情報等をＲＡＭ１６０に記憶されているユーザ情報と照合し、合致するユーザ情報があるかどうかを判別する。合致するユーザ情報がある場合、認証がＯＫであると判別し、合致するユーザ情報がない場合、認証がＮＧであると判別する。
【００５５】
制御部１９０の認証実行部１９４は、認証がＮＧであると判別した場合（ステップＳ２０２；Ｎｏ）、再びステップＳ２０１に戻り、ユーザの認証を再度行う。一方、制御部１９０の認証実行部１９４が、認証がＯＫであると判別した場合（ステップＳ２０２；Ｙｅｓ）、制御部１９０の画像生成部１９１が画像を生成する処理を開始する。
【００５６】
まず、制御部１９０の画像生成部１９１は、ＲＡＭ１６０に記憶されている５つの署名を示す画像（署名１〜５）のうち、２つの画像を選択する（ステップＳ２０３）。この例では、図４に示す署名２と署名５とが選択されたものとする。
【００５７】
制御部１９０の画像生成部１９１は、選択した２つの画像、すなわち署名２と署名５の特徴点を抽出する（ステップＳ２０４）。制御部１９０の画像生成部１９１は、抽出した特徴点を対応付けて、署名２と署名５とを対応付ける（ステップＳ２０５）。制御部１９０の画像生成部１９１は、特徴点を対応付けた２つの画像（署名２と署名５）の間でモーフィング処理を行い、２つの画像を合成した新たな画像を生成する（ステップＳ２０６）。
【００５８】
ここで、署名２を４段階で署名５に変化するようにモーフィング処理する場合の一例を説明する。すなわち、モーフィングの段階の数が４に設定されている例を説明する。
【００５９】
図６は、かかるモーフィング処理で合成される画像を説明するための概念図である。図６（Ａ）は署名２の画像を示し、図６（Ｅ）は署名５の画像を示している。図６（Ｂ）、図６（Ｃ）、図６（Ｄ）はモーフィング途中の画像を示している。
【００６０】
ここで、署名２から署名５までの変化（最大変化）に対する、各モーフィング段階における変化の割合を変化率と定義する。そうすると、図６（Ａ）は変化率０％の画像すなわち署名２を示す画像であり、図６（Ｂ）は変化率２５％の画像であり、図６（Ｃ）は変化率５０％の画像であり、図６（Ｄ）は変化率７５％の画像であり、図６（Ｅ）は変化率１００％の画像すなわち署名５を示す画像である。また、図６（Ａ）をフレーム１、図６（Ｂ）をフレーム２、図６（Ｃ）をフレーム３、図６（Ｄ）をフレーム４、図６（Ｅ）をフレーム５と定義する。
【００６１】
この場合、制御部１９０の画像生成部１９１は、モーフィング途中の画像であるフレーム２〜４のうちのいずれか一つを新たな画像とする。例えば、制御部１９０の画像生成部１９１は、フレーム３すなわち図６（Ｃ）の画像を新たな画像とする。以上のステップＳ２０３〜Ｓ２０６により、新たな画像が生成される。
【００６２】
新たな画像を生成した後に、制御部１９０は、表示部１４０に印刷可能となった旨を表示させ、ユーザに印刷可能であることを通知する。また、移動検出部１２０は、印刷装置１００の移動（あるいは移動量）の検出を開始し、印刷装置１００の移動が検出されたかどうかを判別する（ステップＳ２０７）。
【００６３】
移動検出部１２０が印刷装置１００の移動が検出されていないと判別した場合（ステップＳ２０７；Ｎｏ）、移動検出部１２０は移動が検出されるまで移動量の検出を継続する。一方、移動検出部１２０が印刷装置１００の移動が検出されたと判別した場合（ステップＳ２０７；Ｙｅｓ）、制御部１９０の印刷実行部１９２が印刷部１７０を制御して、新たな画像を印刷画像として印刷を実行する（ステップＳ２０８）。
【００６４】
印刷は、制御部１９０が、印刷部１７０が印刷画像のすべてを印刷したと判別した場合に終了する。なお、この判別は、移動検出部１２０が検出した印刷装置１００の移動量が印刷画像のすべてを印刷するための移動量に達したかどうかに基づいて判別される。
【００６５】
印刷が終了すると、制御部１９０は、印刷履歴をＲＡＭ１６０に記憶させる（ステップＳ２０９）。ＲＡＭ１６０は、再現情報と、認証部１８０によって認証されたユーザを示すユーザ情報と、印刷部１７０が印刷したときに計時部１８５が計時している時刻を示す印刷時刻情報と、を関連付けて印刷履歴として記憶する。
【００６６】
以上、印刷装置１００の印刷処理を説明した。以下、署名者による署名、印鑑、スタンプ等による押印と比較しながら、印刷装置１００の使用上の利点を説明する。
【００６７】
通常、署名は、図４に示す署名１〜５のように、署名のたびに、形状が変わるものの、同一の署名者が署名していれば、筆跡上の特徴は共通する。そのため、署名同士を筆跡鑑定によって照合することによって、その署名が署名者本人によってなされたものか、署名者本人ではない他人によって不正になされたものかを判別することができる。
【００６８】
しかし、印刷によって署名を示す画像を印刷する場合において、同じ画像が使われた場合には、正規のユーザが印刷したのか、正規のユーザではない他人（不正者）が印刷したのかを判別することは不可能である。一方、印刷のたびに異なる画像が使われるように、署名以外の識別情報、例えばシリアル番号、二次元コードなどを付加して印刷すると外観性が損なわれるため、好ましくない。印鑑、スタンプ等による押印においても、例えば、同じ印面を有する印鑑、スタンプが使用された場合に、その印影から不正者の使用かどうかを判別することが不可能である。
【００６９】
これに対し、本実施形態の印刷装置１００によれば、印刷装置１００を使用する都度、画像生成部１９１が、ＲＡＭ１６０に記憶されている署名を示す画像に基づいて、過去に使用したものと異なる新たな画像を生成し、当該新たな画像が印刷部１７０によって印刷媒体Ｓに印刷される。
【００７０】
この場合、印刷時に生成された新たな画像が印刷画像となるため、印刷のたびに異なる画像を印刷することができる。また、生成される画像は署名を示す画像に基づいているため、印刷画像に署名者の筆跡上の特徴を残すことができる。そのため、セキュリティ性を向上することができる。
【００７１】
また、印刷装置１００の印刷画像には、署名以外の識別情報は含まれていないため、外観性を損なうこともない。また、印刷装置１００は、署名者以外が使用して署名を示す画像を印刷することができるため、署名者の負担を軽減することができ、利便性を向上することができる。
【００７２】
また、印刷装置１００において、複数の署名を示す画像がＲＡＭ１６０に記憶され、画像生成部１９１は、それらを合成することによって新たな画像を生成する。そのため、複数の署名を示す画像の組み合わせによって新たな画像を複数パターンで生成することができる。
【００７３】
印刷装置１００において、画像生成部１９１は、ＲＡＭ１６０に記憶されている複数の署名を示す画像のうち、２つの画像の間で段階的なモーフィング処理を行い、モーフィング処理の途中のいずれかの段階（すなわちフレーム）における画像を新たな画像としている。そのため、モーフィング処理の途中のどの段階における画像を新たな画像として採用するかによって、新たな画像を複数パターンで生成することができる。
【００７４】
印刷装置１００において、認証部１８０は、印刷時に、ユーザ（印刷者）の認証を行う。かかる構成によれば、ユーザ（印刷者）が不正者である場合、印刷を行うことができない。そのため、セキュリティ性を確保することができる。
【００７５】
印刷装置１００において、印刷部１７０が印刷を行う場合に、再現情報とユーザ情報と印刷時刻情報とが関連付けられて印刷履歴としてＲＡＭ１６０に記憶される。この場合、ＲＡＭ１６０に記憶されている印刷履歴を参照することにより、印刷画像が正当なものであるか否かを後から判別することができる。すなわち、署名や押印ではなし得ないトレーサビリティの実現が可能となる。
【００７６】
印刷装置１００において、画像生成部１９１は、上述のように、ＲＡＭ１６０に記憶されている再現情報を参照することにより、過去に生成された画像とは異なる画像を生成する。そのため、印刷のたびに異なる印刷画像を印刷することができる。
【００７７】
印刷装置１００は、画像再現部１９５によって、過去に画像生成部１９１によって生成された画像を再現することができる。そのため、再現された画像と、印刷画像を比較することによって印刷媒体Ｓに印刷されている印刷画像が正当なものかどうかを判別することができる。
【００７８】
なお、上記の例では、印刷画像が署名を示す画像である場合を例に説明したが、印刷画像が印影を示す画像であっても、同様に、印影上の特徴が残るために、セキュリティ性を向上することができる。また、印鑑又はスタンプの所有者の代理人が印刷することもできるため、利便性を向上することができる。
【００７９】
（第２実施形態）
本実施形態では、上記第１実施形態とは異なる方法で印刷画像を生成する印刷装置２００について説明する。印刷装置２００は、印刷装置１００と同様な手動走査型の印刷装置である。なお、印刷装置２００の構成の説明において、第１実施形態の印刷装置１００と共通する構成要素には、同一の符号を付して説明を省略する。
【００８０】
図７に示すように、印刷装置２００は、通信部１１０と、移動検出部１２０と、操作部１３０と、表示部１４０と、ＲＯＭ１５０と、ＲＡＭ１６０と、印刷部１７０と、認証部１８０と、計時部１８５と、制御部２９０とを備える。
【００８１】
ここで、制御部２９０の機能的構成について説明する。制御部２９０は、画像生成部２９１、印刷実行部１９２、入力受付部２９３、認証実行部１９４、画像再現部２９５として機能する。
【００８２】
画像生成部２９１は、ＲＡＭ１６０に記憶されている署名又は印影を示す画像（第１画像）に基づいて、新たな画像（第２画像）を生成する。新たな画像は、ＲＡＭ１６０に記憶されている署名又は印影を示す画像に変化を加えることによって生成される。なお、署名又は印影は、線によって構成された部分を含んでいる。そのため、第１画像は、線によって構成された部分を少なくとも有している。
【００８３】
具体的には、画像生成部２９１は、ＲＡＭ１６０に記憶されている署名又は印影を示す画像の濃度とエッジのいずれか一つ以上を含む画像パラメータを変化させる。また、画像パラメータの変化の大きさは、画像における位置によって異なるものとする。詳細な生成方法については後述する。
【００８４】
なお、画像生成部２９１は、ＲＡＭ１６０を参照して、ＲＡＭ１６０に記憶されている再現情報（この再現情報については後述する）によって再現可能な画像と重複しないように、新たな画像を生成する。すなわち、画像生成部２９１は、過去に使用されている画像とは異なる画像を新たな画像として生成する。
【００８５】
入力受付部２９３は、署名又は印影を示す画像の入力を受け付ける。署名又は印影を示す画像の入力は、例えば、ユーザ（署名者）に操作部１３０のタッチパネルを介して署名を入力させたり、通信部１１０を介して外部装置から署名又は印影を示す画像データを受信したりすることによって行われる。入力受付部２９３は、受け付けた署名又は印影を示す画像をＲＡＭ１６０に記憶させる。なお、入力受付部２９３は、第１実施形態の入力受付部１９３とは異なり、署名又は印影を示す画像をユーザに複数回にわたって入力させる処理（例えば、図３に示す署名登録処理）は行わない。署名又は印影を示す画像は１つだけ入力されれば十分だからである。
【００８６】
画像再現部２９５は、ＲＡＭ１６０に記憶されている再現情報に基づいて、過去に画像生成部２９１によって生成された画像を再現する。再現情報とは、過去に画像生成部２９１によって生成された画像を再現するための情報である。
【００８７】
再現情報は、画像生成部２９１が新たな画像を生成する際に加えた画像パラメータの変化の量を示す情報を含む。なお、再現情報は、過去に画像生成部２９１によって生成された画像データそのものであってもよい。
【００８８】
以上、印刷装置２００の構成を説明した。ここで、ユーザが印刷装置２００を、印影を示す画像の印刷に使用する場合に、印刷装置２００が行う印刷処理を一例として説明する。印刷処理は、ユーザ（印刷者）が操作部１３０を介して印刷を実行する指示を入力した場合に、制御部２９０が応答することによって実行される。
【００８９】
図８に示すように、印刷処理が実行されると、まず、制御部２９０の認証実行部１９４は、ユーザの認証を行う（ステップＳ３０１）。また、制御部１９０の認証実行部１９４は、認証がＯＫかどうかを判別する（ステップＳ３０２）。具体的な認証方法は、第１実施形態の場合と同じである。
【００９０】
制御部２９０の認証実行部１９４は、認証がＮＧであると判別した場合（ステップＳ３０２；Ｎｏ）、再びステップＳ３０１に戻り、ユーザの認証を行う。一方、制御部２９０の認証実行部１９４が、認証がＯＫであると判別した場合（ステップＳ３０２；Ｙｅｓ）、制御部２９０の画像生成部２９１が画像を生成する処理を開始する。
【００９１】
ここで、図９を参照しながら、ＲＡＭ１６０に記憶されている画像が「佐藤」の印影を示す画像である場合を一例として画像の生成方法を説明する。この例では、入力受付部２９３がユーザから入力された画像が、図９（Ａ）に示す登録画像であり、この登録画像がＲＡＭ１６０に記憶されているものとする。
【００９２】
まず、制御部２９０の画像生成部２９１は、図９（Ｂ）に示すように、ＲＡＭ１６０に記憶されている印影を示す画像内で変化基準点Ｐを決定する（ステップＳ３０３）。変化基準点Ｐは、予め定められた規則又はランダムに決定される。なお、変化基準点Ｐの大きさは、図面から読み取りやすいように大きく図示しているが、実際には、画像を構成している複数のドットのうちの一つのドットである。
【００９３】
次に、制御部２９０の画像生成部２９１は、ＲＡＭ１６０に記憶されている印影を示す画像に加えるエッジの変化量を決定する（ステップＳ３０４）。この変化量に基づいて、変化基準点Ｐにおいて画像のエッジを最大値にして、変化基準点Ｐから距離が離れるほど画像のエッジが小さな値となるように、エッジの変化を加える。これにより、図９（Ｃ）に示すエッジ変化後の画像が得られる。
【００９４】
次に、制御部２９０の画像生成部２９１は、図９（Ｃ）に示すエッジ変化後の画像に対して、さらに加える濃度の変化量を決定する（ステップＳ３０５）。この変化量に基づいて、変化基準点Ｐにおいて画像の濃度を最大値（濃度を変化させる前の、元の画像の濃度）にし、変化基準点Ｐから距離が離れるほど画像の濃度が小さな値となるように、濃度の変化を加える。これにより、図９（Ｄ）に示す濃度変化後の画像が得られる。
【００９５】
制御部２９０の画像生成部２９１は、図９（Ｄ）に示す濃度変化後の画像を新たな画像として生成する（ステップＳ３０６）。以上のステップＳ３０３〜Ｓ３０６により、新たな画像が生成される。
【００９６】
新たな画像を生成した後に、制御部２９０は、表示部１４０に印刷可能となった旨を表示させ、ユーザに印刷可能であることを通知する。また、移動検出部１２０は、印刷装置２００の移動（あるいは移動量）の検出を開始し、印刷装置２００の移動が検出されたかどうかを判別する（ステップＳ３０７）。
【００９７】
移動検出部１２０が印刷装置２００の移動が検出されていないと判別した場合（ステップＳ３０７；Ｎｏ）、移動検出部１２０は移動が検出されるまで移動量の検出を継続する。一方、移動検出部１２０が印刷装置２００の移動が検出されたと判別した場合（ステップＳ３０７；Ｙｅｓ）、制御部２９０の印刷実行部１９２が印刷部１７０を制御して、新たな画像を印刷画像として印刷を実行する（ステップＳ３０８）。
【００９８】
印刷は、制御部２９０が、印刷部１７０が印刷画像のすべてを印刷したと判別した場合に終了する。なお、この判別は、移動検出部１２０が検出した印刷装置２００の移動量が印刷画像のすべてを印刷するための移動量に達したかどうかに基づいて判別される。
【００９９】
印刷が終了すると、制御部２９０は、印刷履歴をＲＡＭ１６０に記憶させる（ステップＳ３０９）。ＲＡＭ１６０は、再現情報と、認証部１８０によって認証されたユーザを示すユーザ情報と、印刷部１７０が印刷したときに計時部１８５が計時している時刻を示す印刷時刻情報と、を関連付けて印刷履歴として記憶する。
【０１００】
以上、印刷装置２００の印刷処理を説明した。以下、署名者による署名、印鑑、スタンプ等による押印と比較して、印刷装置２００の使用上の利点を説明する。
【０１０１】
本実施形態の印刷装置２００によれば、ＲＡＭ１６０に記憶されている印影を示す画像に基づいて、画像生成部２９１が新たな画像を生成し、当該新たな画像が印刷部１７０によって印刷媒体Ｓに印刷される。
【０１０２】
この場合、印刷時に生成された新たな画像が印刷画像となるため、印刷のたびに異なる画像を印刷することができる。また、印影を示す画像に基づいて、生成された画像が印刷されるため、印影上の特徴を残すことができる。そのため、セキュリティ性を向上することができる。
【０１０３】
印刷装置２００の印刷画像には、印影以外に識別情報が含まれていないため、外観性を損なうこともない。また、印刷装置２００は、印鑑又はスタンプの所有者以外の者が使用して印影を示す画像を印刷することができるため、印鑑又はスタンプの所有者の負担を軽減することができ、利便性を向上することができる。
【０１０４】
また、印刷装置２００において、印影を示す画像がＲＡＭ１６０に記憶され、画像生成部２９１は、その画像に変化を加えることによって新たな画像を生成する。そのため、変化の方法に応じて新たな画像を複数パターンで生成することができる。
【０１０５】
印影を示す画像に加える変化は、濃度とエッジのいずれか一つ以上を含む画像パラメータの変化である。この場合、印刷のたびに変化の量を変更することにより、新たな画像を複数パターンで生成することができる。また、濃度とエッジの変化は、実際の押印においても、押圧力とインクの付着状態とによって生じる。そのため、このような変化を加えても、印影らしさを維持することができる。
【０１０６】
印刷装置２００において、画像生成部２９１は、変化基準点Ｐを決定して、印影を示す画像に加える変化の大きさが印影を示す画像における位置（座標）によって異なるように、新たな画像を生成する。この場合、印刷のたびに変化基準点Ｐの位置（座標）を変更することにより、新たな画像を複数パターンで生成することができる。
【０１０７】
印刷装置２００において、印刷部１７０が印刷を行う場合に、再現情報とユーザ情報と印刷時刻情報とが関連付けられて印刷履歴としてＲＡＭ１６０に記憶される。この場合、ＲＡＭ１６０に記憶されている印刷履歴を参照することにより、印刷画像が正当なものであるか否かを後から判別することができる。すなわち、署名や押印ではなし得ないトレーサビリティの実現が可能となる。
【０１０８】
印刷装置２００において、画像生成部２９１は、上述のように、ＲＡＭ１６０に記憶されている再現情報を参照することにより、過去に生成された画像とは異なる画像を生成する。そのため、印刷のたびに異なる印刷画像を印刷することができる。
【０１０９】
印刷装置１００は、画像再現部２９５によって、過去に画像生成部２９１によって生成された画像を再現することができる。そのため、再現された画像と、印刷画像とを比較することによって印刷媒体Ｓに印刷されている印刷画像が正当なものかどうかを判別することができる。
【０１１０】
なお、上記の例では、印刷画像が印影を示す画像である場合を例に説明したが、印刷画像が署名を示す画像であっても、同様に、署名上の特徴が残るために、セキュリティ性を向上することができる。署名は、署名のたびに筆圧によって署名の濃度とエッジは変化する。そのため、署名を示す画像に濃度とエッジの変化を加えても、署名らしさを維持することができる。また、署名者の代理人が印刷することもできるため、利便性を向上することができる。
【０１１１】
以上が実施形態の説明である。なお、第１実施形態及び第２実施形態（以下、上記実施形態と称する）は一例であり、各装置の具体的な構成や処理の内容などは、上記実施形態で説明したものに限らず、適宜変更可能である。また、上記実施形態を組み合わせて変形することも可能である。以下、上記実施形態の変形例について説明する。
【０１１２】
（変形例）
上記実施形態では、入力受付部１９３、２９３は、通信部１１０を介した通信によって、またはユーザに操作部１３０から署名を示す画像を入力させることによって、署名又は印影を示す画像の入力を受け付けている。しかし、例えば、印刷装置１００、２００に撮像部又はスキャン部を設けて、入力受付部１９３、２９３が、撮像又はスキャンによって署名又は印影を示す画像を取り込むように構成されてもよい。
【０１１３】
上記実施形態において、印刷装置１００、２００は手動走査型の印刷装置である。しかし、印刷装置１００、２００は、据置型の印刷装置であってもよい。ただし、印刷装置１００、２００は手動走査型の印刷装置である方が好ましい。手動型の印刷装置であれば、印刷媒体Ｓがすでに印刷された書面などである場合に、追加的に署名又は印影が印刷することに適しているからである。
【０１１４】
第１実施形態では、画像生成部１９１は、段階的なモーフィングの段階の数を４にして、２５％ずつの変化率で複数のフレームの画像を生成し、それらのいずれかを新たな画像としている。しかし、本発明は、これに限られない。例えば、画像生成部１９１は、モーフィングの変化率を１〜９９％の範囲で任意に設定可能なように構成されてもよい。すなわち、モーフィング処理は、同じ変化率で段階的に行うモーフィング処理でなくてもよい。この場合、モーフィングの変化率が再現情報としてＲＡＭ１６０に記憶される。
【０１１５】
第１実施形態では、画像生成部１９１は、選択された２つの画像の間でモーフィング処理を行っている。しかし、画像生成部１９１は、３つ以上の画像を選択して、モーフィング処理を行うことによって新たな画像を生成するように構成されてもよい。この手順を説明すると、例えば、画像生成部１９１は、１つ目の画像と２つ目の画像との間でモーフィング処理を行って、モーフィング途中の画像を生成する。次に、画像生成部１９１は、さらに生成した画像と３つ目の画像との間でモーフィング処理を行って、モーフィング途中の画像を生成して新たな画像とする。このような手順で３つ以上の画像の間でモーフィング処理を行うことも可能である。
【０１１６】
第１実施形態において、画像生成部１９１は、選択された２つの画像の間でモーフィング処理を行う構成に限られない。モーフィング処理は、ドット集合のラスタ画像を用いた画像処理である。しかし、画像生成部１９１は、モーフィング処理ではなく、複数のアンカーと複数のアンカー同士を結ぶ線からなるベクトル画像を用いた画像処理を行う構成にしてもよい。この場合、アンカーの座標をわずかに変化させることによって、新たな画像を生成することができる。
【０１１７】
上記実施形態では、印刷装置１００、２００が画像生成部１９１、２９１を備える構成を説明している。しかし、画像生成部１９１、２９１は、サーバ装置、無線端末等の外部装置に設けられてもよい。例えば、印刷装置１００、２００は、通信部１１０を介して外部装置から外部装置が生成した新たな画像を受信し、その新たな画像を印刷するように構成されてもよい。これと同様に、印刷装置１００、２００の構成要素の一部（例えば表示部１４０、入力受付部１９３、２９３）を印刷装置１００、２００から独立させ、外部装置に設けてもよい。
【０１１８】
印刷装置１００、２００の制御部１９０、２９０が実行する署名登録処理、印刷処理等は、図３、図５、図８に示すフローチャートに限らず、適宜変更可能である。例えば、各ステップの順番を変更してもよい。
【０１１９】
上記実施形態において、ＲＯＭ１５０に記憶されるデータは、ＲＡＭ１６０に記憶されてもよい。ＲＡＭ１６０に記憶されるデータは、ＲＯＭ１５０に記憶されてもよい。
【０１２０】
また、上記実施形態の署名登録処理、印刷処理等は、印刷装置１００、２００によって実現されるのではなく、例えば、コンピュータがプログラムを実行することで実現してもよい。かかるプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【０１２１】
以上、本発明の好ましい実施形態及び変形例について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【０１２２】
（付記１）
予め登録されている一つ又は互いに異なる複数の第１画像に基づく、前記第１画像と異なる第２画像を生成する画像生成部と、
前記画像生成部により生成された前記第２画像を印刷する印刷部と、
を備え、
前記第１画像は、線によって構成された部分を少なくとも有し、
前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とする印刷装置。
【０１２３】
（付記２）
前記第１画像は、ユーザによりなされた署名の画像又は印影の画像であることを特徴とする付記１に記載の印刷装置。
【０１２４】
（付記３）
前記画像生成部は、前記第２画像を生成する際に、該画像生成部が過去に生成した前記第２画像と異なるように、該第２画像を生成することを特徴とする付記１又は２に記載の印刷装置。
【０１２５】
（付記４）
前記第１画像の入力を受け付ける入力受付部と、
前記第１画像を記憶する記憶部と、
をさらに備えることを特徴とする付記３に記載の印刷装置。
【０１２６】
（付記５）
前記記憶部は、前記印刷部が前記第２画像の印刷を行う毎に、前記画像生成部が前記第２画像を再現するための再現情報を記憶し、
前記画像生成部は、前記第２画像を生成する際に、前記記憶部に記憶されている前記再現情報によって再現可能な画像とは異なるように、該第２画像を生成することを特徴とする付記４に記載の印刷装置。
【０１２７】
（付記６）
前記記憶部に記憶されている前記再現情報に基づいて、前記画像生成部によって過去に生成された前記第２画像を再現する画像再現部をさらに備えることを特徴とする付記５に記載の印刷装置。
【０１２８】
（付記７）
前記画像生成部は、前記複数の第１画像から少なくとも二つの前記第１画像を選択し、前記選択した少なくとも二つの第１画像の間で段階的なモーフィング処理を行ったときの、前記モーフィング処理の段階に応じて生成される複数の処理画像のうちの、いずれかの段階における前記処理画像を前記第２画像とすることを特徴とする付記１〜６のいずれか１つに記載の印刷装置。
【０１２９】
（付記８）
前記画像生成部は、
前記第１画像内に変化基準点を設定し、前記第１画像における前記濃度又は前記線の太さの変化量を前記変化基準点からの距離に応じて変えることによって、前記第２画像を生成する、
ことを特徴とする付記１〜６のいずれか１つに記載の印刷装置。
【０１３０】
（付記９）
印刷装置の印刷方法であって、
予め登録されている一つ又は互いに異なる複数の第１画像に基づく、前記第１画像と異なる第２画像を生成する画像生成ステップと、
前記画像生成ステップにおいて生成された前記第２画像を前記印刷装置により印刷する印刷ステップと、
を含み、
前記第１画像は、線によって構成された部分を少なくとも有し、前記画像生成ステップにおける前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とする印刷方法。
【０１３１】
（付記１０）
印刷装置を制御するコンピュータにより実行されるプログラムであって、
前記コンピュータにおいて、
予め登録されている一つ又は複数の互いに異なる第１画像に基づく、前記第１画像と異なる第２画像を生成させ、
前記生成させた前記第２画像を前記印刷装置に印刷させ、
前記第１画像は、線によって構成された部分を少なくとも有し、前記第２画像は、（１）前記第１画像の少なくとも一部の濃度を変えた画像、（２）前記第１画像の前記線の少なくとも一部の太さを変えた画像、（３）複数の前記第１画像のうちの少なくとも二つを合成して生成された画像、の少なくとも何れかであることを特徴とするプログラム。
【符号の説明】
【０１３２】
１００，２００…印刷装置、１１０…通信部、１２０…移動検出部、１３０…操作部、１４０…表示部、１５０…ＲＯＭ、１６０…ＲＡＭ、１７０…印刷部、１８０…認証部、１８５…計時部、１９０，２９０…制御部、１９１，２９１…画像生成部、１９２…印刷実行部、１９３，２９３…入力受付部、１９４…認証実行部、１９５，２９５…画像再現部
【図１】
2018051882.tif 000003
【図２】
2018051882.tif 000004
【図３】
2018051882.tif 000005
【図４】
2018051882.tif 000006
【図５】
2018051882.tif 000007
【図６】
2018051882.tif 000008
【図７】
2018051882.tif 000009
【図８】
2018051882.tif 000010
【図９】
2018051882.tif 000011